(57)【要約】【課題】簡易な構成で、発熱部品で発生した熱を確実に放熱する。【解決手段】点灯回路２００（電気回路）は、発熱する発熱部品２１１を有する。筐体は、蓋１１０、本体１２０、押当具１３１を有する。本体１２０は、点灯回路２００を収納する。押当具１３１は、本体１２０の中央側面部１２２と発熱部品２１１とを挟み込むなどして、発熱部品を本体１２０に押し当てて、発熱部品２１１の放熱を促進する。蓋１１０は、押当具１３１の押当嵌合部１１４と嵌合可能な蓋嵌合部３１１を備える。【選択図】図６
2010263120.tif 000002
【特許請求の範囲】
【請求項１】
発熱する発熱部品を有する電気回路を覆う筐体において、
上記電気回路を収納する本体と、
上記本体に上記発熱部品を押し当てて上記発熱部品の放熱を促進する押当具と、
上記押当具と嵌合可能な蓋嵌合部を備える蓋とを有することを特徴とする筐体。
【請求項２】
上記本体は、板状の発熱部品接触部を有し、
上記押当具は、上記発熱部品接触部と上記発熱部品とを挟み込む挟持部と、上記挟持部の上記発熱部品接触部の側に設けられ、上記蓋嵌合部と嵌合する押当嵌合部とを備えることを特徴とする請求項１に記載の筐体。
【請求項３】
上記蓋は、上記蓋嵌合部を複数備え、
上記押当具は、複数の上記蓋嵌合部のうちのいずれかと嵌合することを特徴とする請求項１または請求項２に記載の筐体。
【請求項４】
請求項１乃至請求項３のいずれかに記載の筐体と、上記電気回路として、電力を入力し、入力した電力を、ランプを点灯する電力に変換する点灯回路とを有することを特徴とする点灯装置。
【発明の詳細な説明】
【技術分野】
【０００１】
この発明は、発熱する発熱部品を有する電気回路を覆う筐体に関する。
【背景技術】
【０００２】
発熱部品を筐体に接触させて、発熱部品で発生した熱を放熱する構成が知られている。
発熱部品と筐体との接触面積を大きくして、放熱効率を高くするため、クリップなどの押当具を用いて、発熱部品を筐体に押し当てる構成も知られている。
【先行技術文献】
【特許文献】
【０００３】
【特許文献１】特開２００３−１５２３６９号公報
【特許文献２】実開平３−５３８９２号公報
【発明の概要】
【発明が解決しようとする課題】
【０００４】
上記のような構成において、押当具が外れると、発熱部品と筐体との接触面積が減少し、放熱効率が下がり、発熱部品の温度が上昇して、故障や寿命の短縮などの不具合が発生する可能性がある。
この発明は、例えば上記のような課題を解決するためになされたものであり、できるだけ簡易な構成で、押当具が外れるのを防ぐことを目的とする。
【課題を解決するための手段】
【０００５】
この発明にかかる筐体は、発熱する発熱部品を有する電気回路を覆う筐体において、上記電気回路を収納する本体と、上記本体に上記発熱部品を押し当てて上記発熱部品の放熱を促進する押当具と、上記押当具と嵌合可能な蓋嵌合部を備える蓋とを有することを特徴とする。
【発明の効果】
【０００６】
この発明にかかる筐体によれば、蓋嵌合部が押当具と嵌合することにより、押当具を固定するので、簡易な構成で、押当具がずれて外れるのを防ぐことができ、発熱部品を本体に確実に押し当てることができる。
【図面の簡単な説明】
【０００７】
【図１】実施の形態１における点灯装置８００の外観を示す全体斜視図。
【図２】実施の形態１における点灯装置８００の構成を示す分解斜視図。
【図３】実施の形態１における押当具１３１〜１３３の構成を示す拡大六面図。
【図４】実施の形態１における蓋１１０の構成を示す破断正視図。
【図５】実施の形態１における本体１２０の構成を示す正視図。
【図６】実施の形態１における押当具１３１の働きを示す側面視拡大破断図。
【図７】実施の形態１における蓋１１０及び押当具１３１〜１３３の変形例を示す破断正視図。
【図８】実施の形態１における蓋１１０及び押当具１３１〜１３３の別の変形例を示す破断正視図。
【発明を実施するための形態】
【０００８】
実施の形態１．
実施の形態１について、図１〜図８を用いて説明する。
【０００９】
図１は、この実施の形態における点灯装置８００の外観を示す全体斜視図である。
点灯装置８００は、筐体１００、点灯回路２００を有する。
点灯回路２００（電気回路）は、商用電源などの電源から電力を入力し、入力した電力を、放電灯などのランプを点灯する電力に変換する。
筐体１００は、点灯回路２００を覆い、保護する。
【００１０】
図２は、この実施の形態における点灯装置８００の構成を示す分解斜視図である。
点灯回路２００は、基板２１０、発熱部品２１１〜２１３、端子台２２１，２２２を有する。
基板２１０は、発熱部品２１１〜２１３などの電子部品や、端子台２２１，２２２などの部品を実装している。
端子台２２１は、商用電源などの電源に接続する配線を接続し、商用電源などの電源から電力を入力する。端子台２２２は、ランプに接続する配線を接続し、変換した電力を出力する。
発熱部品２１１〜２１３は、例えばパワーＭＯＳＦＥＴなどの半導体部品やその他の部品であり、昇圧チョッパ回路やインバータ回路など点灯回路２００を構成する回路の一部である。発熱部品２１１〜２１３は、点灯回路２００の動作により、発熱する。
なお、基板２１０は、発熱部品２１１〜２１３、端子台２２１，２２２以外にも多数の部品を実装しているが、図では省略している。
【００１１】
筐体１００は、蓋１１０、本体１２０、押当具１３１〜１３３を有する。
本体１２０は、熱伝導率の高い材料で形成されている。本体１２０は、発熱部品２１１〜２１３と接触することにより、発熱部品２１１〜２１３で発生した熱を放熱する。本体１２０は、金属など導電性の材料で形成されていてもよいが、その場合は、導電性の材料の内側に絶縁性の材料により形成された板などを組み合わせた構成として、点灯回路２００との間を絶縁する。
蓋１１０は、本体１２０と係合して、点灯回路２００を覆い、埃などの侵入を防ぐとともに、誤って人が高電圧部分に触れるのを防ぐ。
押当具１３１〜１３３は、発熱部品２１１〜２１３を本体１２０に押し当てることにより、発熱部品２１１〜２１３の放熱を促進する。押当具１３１〜１３３は、例えば折り曲げられた板バネなどにより形成されたクリップ状である。
【００１２】
図３は、この実施の形態における押当具１３１〜１３３の構成を示す拡大六面図である。
押当具１３１〜１３３は、本体側挟持部３１０、押当嵌合部３１１、本体側湾曲部３１５、連結部３２０、連結湾曲部３２５、部品側挟持部３３０、当接湾曲部３３５、操作部３４０を有する。
【００１３】
本体側挟持部３１０は、概ね平らな略長方形板状である。
押当嵌合部３１１は、本体側挟持部３１０の外側に位置する。押当嵌合部３１１の形状は、例えば半球状の突起であるが、後述する本体嵌合部１１４と嵌合する形状であれば、他の形状であってもよい。
連結部３２０は、概ね平らな略長方形板状であり、本体側挟持部３１０に対してほぼ直角をなし、本体側湾曲部３１５を介して、本体側挟持部３１０の短辺と繋がっている。
本体側湾曲部３１５は、略円筒側面の一部をなす湾曲した板状であり、本体側挟持部３１０と連結部３２０とを繋いでいる。
部品側挟持部３３０は、概ね平らな略長方形板状であり、連結部３２０に対して鋭角をなし、連結湾曲部３２５を介して、連結部３２０の本体側挟持部３１０と繋がっている辺の対辺と繋がっている。
連結湾曲部３２５は、略円筒側面の一部をなす湾曲した板状であり、連結部３２０と部品側挟持部３３０とを繋いでいる。
操作部３４０は、概ね平らな略長方形板状であり、部品側挟持部３３０に対してほぼ直角をなし、当接湾曲部３３５を介して、部品側挟持部３３０の連結部３２０と繋がっている辺の対辺と繋がっている。
当接湾曲部３３５は、略円筒側面の一部をなす湾曲した板状であり、部品側挟持部３３０と操作部３４０とを繋いでいる。
【００１４】
使用者は、操作部３４０に指を掛けて、本体側挟持部３１０と当接湾曲部３３５との間の隙間を広げ、広がった隙間に発熱部品２１１〜２１３と本体１２０とを挟み込む。使用者が指を離すと、板バネの弾性力により、押当具１３１〜１３３が元の形状に戻ろうとするので、本体側挟持部３１０と当接湾曲部３３５との間に挟まれた発熱部品２１１〜２１３と本体１２０とを両側から押し付ける。これにより、発熱部品２１１〜２１３で発生した熱が本体１２０に伝達するのを促進し、発熱部品２１１〜２１３の放熱効率を高める。
【００１５】
なお、押当具１３１〜１３３の形状は、他の形状でもよく、発熱部品２１１〜２１３の形状に合わせて、互いに異なる形状であってもよい。
【００１６】
図４は、この実施の形態における蓋１１０の構成を示す破断正視図である。
蓋１１０は、上面部１１１、二つの短辺側面部１１２、二つの長辺側面部１１３、複数の本体嵌合部１１４を有する。
上面部１１１は、概ね平らな略長方形板状である。
短辺側面部１１２は、概ね平らな略長方形板状であり、上面部１１１に対してほぼ直角をなし、上面部１１１の二つの短辺にそれぞれ繋がっている。
長辺側面部１１３は、概ね平らな略長方形板状であり、上面部１１１及び短辺側面部１１２に対してほぼ直角をなし、上面部１１１の二つの長辺にそれぞれ繋がっている。長辺側面部１１３の高さ（短辺の長さ）は、短辺側面部１１２の高さ（短辺の長さ）より長い。長辺側面部１１３と短辺側面部１１２とは繋がっていてもよいし、繋がっていなくてもよい。
【００１７】
本体嵌合部１１４は、長辺側面部１１３の内側に位置する。本体嵌合部１１４の形状は、例えば半球状の窪みであるが、押当嵌合部３１１と嵌合する形状であれば、他の形状であってもよい。また、本体嵌合部１１４は、長辺側面部１１３を貫通する穴であってもよい。
本体嵌合部１１４の数は、少なくとも発熱部品２１１〜２１３の数と同じであり、発熱部品２１１〜２１３の数よりも多いほうが好ましい。
本体嵌合部１１４の位置は、例えば同じ高さに等間隔に並べて配置する。
【００１８】
図５は、この実施の形態における本体１２０の構成を示す正視図である。
本体１２０は、底面部１２１、２つの中央側面部１２２、４つの端側面部１２３を有する。
底面部１２１は、概ね平らな長方形板状である。
中央側面部１２２は、概ね平らな長方形板状であり、底面部１２１に対してほぼ直角をなし、底面部１２１の２つの長辺にそれぞれ繋がっている。中央側面部１２２の長さ（長辺の長さ）は、底面部１２１の長さ（長辺の長さ）より短い。
端側面部１２３は、概ね平らな長方形板状であり、中央側面部１２２とほぼ同じ平面をなし、中央側面部１２２の短辺とそれぞれ繋がっている。また、端側面部１２３は、底面部１２１の長辺のうち、中央側面部１２２と繋がっていない部分に繋がっている。端側面部１２３の長さ（長辺の長さ）は、底面部１２１の長さ（長辺の長さ）から中央側面部１２２の長さ（長辺の長さ）を差し引いた差のほぼ半分である。また、端側面部１２３の高さ（短辺の長さ）は、中央側面部１２２の高さ（短辺の長さ）より短い。
【００１９】
底面部１２１の幅（短辺の長さ）は、蓋１１０の上面部１１１の幅（短辺の長さ）より短く、２つの長辺側面部１１３の間の間隔と同程度である。
中央側面部１２２の長さ（長辺の長さ）は、蓋１１０の上面部１１１の長さ（長辺の長さ）より短く、二つの短辺側面部１１２の間の間隔と同程度である。
中央側面部１２２の高さ（短辺の長さ）と端側面部１２３の高さ（短辺の長さ）との差は、蓋１１０の短辺側面部１１２の高さ（短辺の長さ）より短い。
端側面部１２３の高さ（短辺の長さ）は、蓋１１０の長辺側面部１１３の高さ（短辺の長さ）と、短辺側面部１１２の高さ（短辺の長さ）との差よりも長い。
【００２０】
本体１２０の上に蓋１１０を被せると、短辺側面部１１２の下側の辺が、端側面部１２３の上側の辺に当接することにより、蓋１１０の高さ方向の位置が定まる。長辺側面部１１３の内側の面が、中央側面部１２２の外側の面に当接することにより、蓋１１０の幅方向の位置が定まる。短辺側面部１１２の内側の面が、中央側面部１２２の短辺に当接することにより、蓋１１０の長さ方向の位置が定まる。
その後、カシメやその他の固定方法により、蓋１１０と本体１２０とを固定する。
【００２１】
図６は、この実施の形態における押当具１３１の働きを示す側面視拡大破断図である。
上述したように、押当具１３１は、本体１２０の中央側面部１２２と、発熱部品２１１とを挟み込み、板バネの弾性力などにより、発熱部品２１１を中央側面部１２２に押し当てることにより、発熱部品２１１の放熱を促進する。
押当具１３２，１３３も同様に、それぞれ発熱部品２１２，２１３を中央側面部１２２に押し当てることにより、発熱部品２１２，２１３の放熱を促進する。
【００２２】
点灯回路２００の設計に際し、発熱部品２１１〜２１３の位置は、押当具１３１〜１３３の押当嵌合部３１１が、長辺側面部１１３に設けられた本体嵌合部１１４のいずれかと嵌合する位置になるようにする。
蓋１１０と本体１２０とを固定することにより、押当具１３１〜１３３の位置が固定されるので、簡易な構成で、押当具１３１〜１３３がずれて外れるのを防ぐことができ、発熱部品２１１〜２１３を中央側面部１２２に確実に押し当てることができる。
【００２３】
点灯回路２００の設計を変更する場合、発熱部品２１１〜２１３の数や位置を変更する必要が生じる場合がある。長辺側面部１１３に多数の本体嵌合部１１４が設けられていれば、点灯回路２００の設計を変更した際、筐体１００の設計を変更せずとも、押当具１３１〜１３３の押当嵌合部３１１が、長辺側面部１１３に設けられた本体嵌合部１１４のいずれかと嵌合する位置になるように、発熱部品２１１〜２１３の位置を定めることができる。
【００２４】
したがって、複数種類の点灯装置８００を製造する場合や、旧型の点灯装置８００を改良した新型の点灯装置８００を製造する場合であっても、筐体１００は、同じものを使用することができる。このため、筐体１００を製造するための金型が１つで済むとともに、１種類の筐体１００のみを在庫しておけばよいので、点灯装置８００の製造コストを抑えることができる。
【００２５】
なお、蓋１１０と本体１２０とをカシメにより固定する場合、カシメの位置は、押当具１３１〜１３３よりも下になることが望ましい。そのため、長辺側面部１１３の高さ（短辺の長さ）は、押当具１３１〜１３３の高さよりも長いことが望ましい。
【００２６】
図７は、この実施の形態における蓋１１０及び押当具１３１〜１３３の変形例を示す破断正視図である。
この変形例において、押当具１３１〜１３３の押当嵌合部３１１は、十字型の突起である。
蓋１１０の本体嵌合部１１４は、押当嵌合部３１１と嵌合する十字型の窪みである。複数の本体嵌合部１１４が繋がって、全体として１つの窪みを形成している。このように、複数の本体嵌合部１１４が繋がった形状であっても、押当具１３１〜１３３が横にずれないように嵌合する形状であればよい。
【００２７】
図８は、この実施の形態における蓋１１０及び押当具１３１〜１３３の別の変形例を示す破断正視図である。
この変形例において、押当具１３１〜１３３の押当嵌合部３１１は、２つあり、長方形板状であり、本体側挟持部３１０に対してほぼ直角をなし、本体側挟持部３１０の長辺に繋がっている。
蓋１１０の本体嵌合部１１４は、押当嵌合部３１１と嵌合するスリット状の貫通穴であり、押当嵌合部３１１の間隔と等しい間隔で、多数設けられている。このように、押当嵌合部３１１は、複数あってもよい。また、本体嵌合部１１４を貫通穴とすることにより、押当具１３１〜１３３が正しい位置に固定されているか否かを、目視して確認することができる。
【符号の説明】
【００２８】
１００  筐体、１１０  蓋、１１１  上面部、１１２  短辺側面部、１１３  長辺側面部、１１４  本体嵌合部、１２０  本体、１２１  底面部、１２２  中央側面部、１２３  端側面部、１３１〜１３３  押当具、２００  点灯回路、２１０  基板、２１１〜２１３  発熱部品、２２１，２２２  端子台、３１０  本体側挟持部、３１１  押当嵌合部、３１５  本体側湾曲部、３２０  連結部、３２５  連結湾曲部、３３０  部品側挟持部、３３５  当接湾曲部、３４０  操作部、８００  点灯装置。
【図１】
2010263120.tif 000003
【図２】
2010263120.tif 000004
【図３】
2010263120.tif 000005
【図４】
2010263120.tif 000006
【図５】
2010263120.tif 000007
【図６】
2010263120.tif 000008
【図７】
2010263120.tif 000009
【図８】
2010263120.tif 000010